(57)【特許請求の範囲】
【請求項１】
筆軸の先端部に、芯線部を構成する一対の金属線材の捻り合わせ部からブリストルが放射状かつ螺旋状に分散するブラシ部が同軸上に取着一体化された化粧用ブラシにおいて、
前記芯線部の先端部寄りを折り返して構成したブラシ部の先端に、ブリストルによって形成された螺旋の一山が、トサカ形状に前方に延出するとともに、
ブリストルが前方に延出する前記トサカ形状領域と、ブリストルが芯線部の外周に略均等に分布するブラシ部側面領域との間に、ブリストル非形成領域が設けられたことを特徴とする化粧用ブラシ。
【請求項２】
少なくとも前記トサカ形状領域を含むブラシ部先端部側のブリストルの長さが、ブラシ部基端部側全体のブリストルの長さより長く構成されたことを特徴とする請求項１に記載の化粧用ブラシ。
【請求項３】
前記芯線部の折り返し部は、該芯線部の基端部を固定保持する筆軸の直径よりも小さいことを特徴とする請求項１または２に記載の化粧用ブラシ。
【発明の詳細な説明】
【技術分野】
【０００１】
本発明は、化粧用ブラシに係り、特に、筆軸にブラシ部を一体化した構造でマスカラ等の液体化粧料の塗布に用いられる化粧用ブラシに関する。
【背景技術】
【０００２】
この種の化粧用ブラシは、液体化粧料が収容された化粧料容器の口部に挿着できるキャップを兼ねる筆軸と、筆軸先端部に取着一体化されたブラシ部とから構成されている。
【０００３】
前記ブラシ部は、一対の芯線材に多数のブラシ毛（針毛、以下ブリストルと云う）をはさみ捻って構成されたもので、芯線部を構成する芯線材の捻り合わせ部から放射状に延出するブリストルが軸方向螺旋状に分布して、全体が円柱状に形成されており、ブラシ部の側面を使ってマスカラ等の液体化粧料の塗布を行う。
【０００４】
一方、化粧料容器の口部内周には、樹脂やゴム等の可縮性部材で構成されたワイパーが周設されており、ワイパーは、化粧料容器から筆軸を抜き出す際に、ブラシ部をしごいてブラシ部に付着した液体化粧料を適量にすることは勿論、筆軸に付着した液体化粧料を掻き落とすようになっている。
【０００５】
また、マスカラ用塗布具としては、マスカラ液を睫毛全体に十分かつ適量に塗布することに加え、睫毛を繊細に梳き整え、目頭、目尻および下睫毛へのマスカラ液塗布の際にキメ細やかな調整を行うことにより睫毛を仕上げられる機能を有することが望まれている。
【０００６】
このような観点から、下記特許文献１には、マスカラ液を睫毛に塗布するためのブラシ部本体の先端に、睫毛及びマスカラ液を均等に梳き整える樹脂製の櫛ピース部を設け、マスカラ液の塗布から睫毛の仕上げまでを行うことのできるマスカラ用塗布具が提案されている。
【先行技術文献】
【特許文献】
【０００７】
【特許文献１】特開２００９−２５４３９５号公報（段落番号０００８、図１）
【発明の概要】
【発明が解決しようとする課題】
【０００８】
しかし、前記した従来技術では、第一には、ブラシ部がブラシ部本体と櫛ピース部の２部材で構成され、構成が複雑な上に両部材を別途に製造した後に一体化しなければならず、それだけブラシ部の製造が面倒であるという問題がある。
【０００９】
第二には、ワイパー内径寸法は筆軸の外径に対して形成されるが、前記櫛ピース部がプラスチック等の非変形材で作られることから、櫛ピース部の外形を工夫するのみでは、化粧料容器からの出し入れの容易性や、ワイパーによる筆軸に付着した化粧料掻き落し機能に限界がある。
【００１０】
そこで発明者は、芯線部の周りに略均一に分布するブリストルの方向性に注目した。即ち、ブリストルは芯線部から半径方向には放射状に、軸方向には螺旋状に延出分布しており、ブラシ部の芯線部を折り返せば、折り返し部の前方にブリストルが櫛歯状に突出（延出）するのではないかと考えた。
【００１１】
そして、実際に試作品を作成したところ、折り返した芯線部からブリストルがトサカ形状に前方に延出し、このトサカ形状領域に睫毛を梳くという機能があることが確認できたことでこの度の特許出願に至ったものである。
【００１２】
本発明は、前記従来技術の問題点および前記した発明者の知見に基づいて為されたもので、その第一の目的は、化粧料の塗布は勿論、睫毛を梳くという機能を併せ持つ簡易な構造のブラシ部を提供することにある。第二の目的は、ワイパー径を拡大することなく、化粧料容器への出し入れが容易な化粧用ブラシを提供することにある。
【課題を解決するための手段】
【００１３】
前記目的を達成するために、請求項１に係る化粧用ブラシにおいては、筆軸の先端部に、芯線部を構成する一対の金属線材の捻り合わせ部からブリストルが放射状かつ螺旋状に分散するブラシ部が同軸上に取着一体化された化粧用ブラシにおいて、前記芯線部の先端部寄りを折り返して構成したブラシ部の先端に、ブリストルによって形成された螺旋の一山が、トサカ形状に前方に延出するとともに、ブリストルが前方に延出する前記トサカ形状領域と、ブリストルが芯線部の外周に略均等に分布するブラシ部側面領域との間に、ブリストル非形成領域を設けるように構成した。
【００１４】
（作用）化粧料を塗布する際には、ブリストルが略均等に分布するブラシ部の基端部側の側面を使用し、睫毛を梳くための櫛歯として使用する際には、ブラシ部の前方にトサカ形状に延出するブリストルを使用する。即ち、ブラシ部には、化粧料の睫毛への塗布および睫毛を梳き整えるという、特許文献１の化粧用ブラシと同様の機能がある。
【００１５】
特に、芯線部の折り返した長さが短いので、化粧料を塗布する上で有効なブラシ部の基端側側面領域の長さは、特許文献１の化粧用ブラシと略同じで、化粧料の塗布機能が劣ることはない。
【００１６】
また、芯線部の周りにブリストルが放射状かつ螺旋状に分散する従来公知のブラシ部における芯線部を折り返すだけで、その先端にブリストルがトサカ形状に前方に延出するブラシ部を製造することができる。
【００１７】
また、トサカ形状に延出するブリストルを筆の刷毛のように用いることもできる。
また、トサカ形状領域とブラシ部側面領域とが連続する（両領域間にブリストル非形成領域が無い）ブラシ部では、トサカ形状に延出するブリストルを睫毛を梳くための櫛歯として使用する際に、ブラシ部側面領域に付着した化粧料が睫毛周辺の皮膚に付着するおそれがあるが、トサカ形状領域とブラシ部側面領域間にブリストル非形成領域が設けられたことで、トサカ形状領域で睫毛を梳く操作の際に、ブラシ部側面領域が周辺皮膚に接触しにくく、誤って皮膚に化粧料を塗布してしまうことを軽減できる。
【００１８】
請求項２においては、請求項１に記載の化粧用ブラシにおいて、少なくとも前記トサカ形状領域を含むブラシ部先端部側のブリストルの長さが、ブラシ部基端部側全体のブリストルの長さより長くなるように構成した。
【００１９】
（作用）トサカ形状領域のブリストルの長さは、ある程度長い方が目尻等の上睫毛と下睫毛の隙間にブリストルを挿し込みやすいので、櫛歯としての機能、即ち、睫毛を梳くという作用に優れる。
【００２０】
【００２１】
【００２２】
請求項３においては、請求項１または２に記載の化粧用ブラシにおいて、前記芯線部の折り返し部は、該芯線部の基端部を固定保持する筆軸の直径よりも小さくするように構成した。
【００２３】
（作用）芯線部の折り返し部の外径が筆軸の直径よりも小さいので、筆軸を化粧料容器から出し入れする際に、筆軸に付着したマスカラを掻き落すというワイパーの作用を低下させることなく、筆軸をスムーズに出し入れできる。
【発明の効果】
【００２４】
以上より、請求項１に係る発明によれば、ブラシ部が、芯線部と芯線部から分散するブリストルだけで構成された非常に簡便な構造であり、その製造が容易な分、化粧用ブラシとしての製造も容易となる。
【００２５】
また、ブラシ部前方のトサカ形状に延出するブリストルを、睫毛を梳かすためだけでなく、筆の刷毛のように用いることで、目頭、目尻、下睫毛等の塗りにくいところへ化粧料を塗布することができ、キメ細やかな調整が良好となる。
また、周辺皮膚に化粧料がつきにくいので、睫毛の仕上げの際の使い勝手が向上する。
【００２６】
請求項２に係る発明によれば、前記トサカ形状に延出するブリストルの櫛歯としての機能が向上し、睫毛に付着した化粧料を梳き整えることがいっそう容易となる。
【００２７】
【００２８】
請求項３に係る発明によれば、筆軸の化粧料容器への出し入れがスムーズであることは勿論、ワイパーによる化粧料掻き落し機能に優れ、筆軸や筆軸を持つ手が化粧料で汚れることもない。
【図面の簡単な説明】
【００２９】
【図１】本発明の第１参考例に係る化粧用ブラシを化粧料容器に挿着した状態の縦断面図。
【図２】（ａ）本発明の第１参考例に係る化粧用ブラシの要部正面図、（ｂ）同化粧用ブラシの要部であるブラシ部の先端部の右側面図、（ｃ）同ブラシの平面図。
【図３】第１参考例に係る化粧用ブラシの要部であるブラシ部の製造工程を説明する図。（ａ）ブリストルを挟み込んだ芯線材を捻る工程を示す図、（ｂ）（ａ）に示す工程を経たブラシ部の芯線部先端側を折り返す工程を示す図。
【図４】（ａ）本発明の第２参考例に係る化粧用ブラシの要部正面図、（ｂ）同化粧用ブラシの要部であるブラシ部の先端部の右側面図。
【図５】第２参考例に係る化粧用ブラシのブリストルを芯線材に挟み込んだ図。
【図６】（ａ）本発明の実施例に係る化粧用ブラシの要部正面図、（ｂ）同化粧用ブラシの要部であるブラシ部の先端部の右側面図。
【図７】実施例に係る化粧用ブラシのブリストルを芯線材に挟み込んだ図。
【発明を実施するための形態】
【００３０】
次に、本発明の実施の形態を参考例および実施例に基づいて説明する。
【００３１】
図１〜図３は、本発明の第１の参考例に係る化粧用ブラシ２０Ａをマスカラ用塗布具に適用したもので、図１は本発明の第１参考例に係る化粧用ブラシ２０Ａを化粧料容器に挿着した状態の縦断面図で、図２（ａ）は化粧用ブラシ２０Ａの要部正面図であり、（ｂ）は化粧用ブラシ２０Ａの要部であるブラシ部の先端部の右側面図であり、（ｃ）は化粧用ブラシ２０Ａの平面図である。図３は化粧用ブラシ２０Ａの要部であるブラシ部の製造工程を説明する図であって、（ａ）はブリストルを挟み込んだ芯線材を捻る工程を示す図であり、（ｂ）は（ａ）に示す工程を経たブラシ部の芯線部先端側を折り返す工程を示す図である。ブラシ部における仮想線は、ブラシ部のブリストル群の先端の軌跡を示す。
【００３２】
図１に示すように、液体化粧料であるマスカラ液１２が収容された化粧料容器１０と、本発明の第１参考例に係る化粧用ブラシ２０Ａとによってマスカラ用塗布具が構成されている。
【００３３】
化粧用ブラシ２０Ａを挿着する化粧料容器１０は、上方に開口し、全体に細長い円筒形状であり、化粧料容器１０の口部１４の内側には、筆軸２２を抜き出す際に、筆軸２２の軸部２４及びブラシ部３０に付着したマスカラ液１２をしごくための掻き部１７を備えるゴム等の可縮性部材で構成されたワイパー１６が嵌着されている。
【００３４】
化粧用ブラシ２０Ａは、化粧料容器１０の口部１４に挿着できるキャップ２３を兼ねる筆軸２２と、筆軸２２の先端部に同軸上に取着一体化された金属線材からなる芯線部３２と、芯線部３２を構成する一対の金属線材の捻り合わせ部からブリストルが放射状かつ螺旋状に分散するブラシ部３０から形成されている。
【００３５】
ブラシ部３０は、図２に示すように、芯線部３２の先端部寄りが（折り返し点４１で）折り返されて、折り返された芯線部３２Ｃを含む折り返し部３３が形成されている。そして、ブラシ部３０の側面側に形成されたブリストルが略均等に分布するブリストル３４群と、ブラシ部３０の先端部（の芯線部３２の捻りあわせ谷部３２Ａ）からブリストルの螺旋の一山がトサカ形状（半円弧状）に略筆軸方向前方に延出したブリストル３５群と、で構成されている。図２（ｃ）において、ブリストル３５群は仮想線で示されており、芯線部３２の捻りあわせ谷部３２Ａに沿って前方に延出している。
【００３６】
また、ブラシ部３０は、折り返された芯線部３２Ｃを含めた芯線部の折り返し部３３の直径ｄが、筆軸２２の軸部２４の直径Ｄよりも小さく構成されている（図２（ａ）参照）。
【００３７】
ブラシ部３０は、以下の工程で製造される。
【００３８】
一対の金属線材４０、４０間に多数のブリストル４２の中央部を挟み、図３（ａ）矢印方向に一対の金属線材４０を捻ると、金属線材４０、４０の捻りあわせ部から半径方向に放射状かつ軸方向に螺旋状に分散したブリストルが芯線部３２に植設された、従来公知の形態のブラシ部３０Ａができる。次に、ブラシ部３０Ａの芯線部３２の先端部側を、折り返し点４１を通る軸周りに図３（ｂ）矢印方向に（仮想線で示すように）折り返せば、図２のブラシ部３０は形成され、これを筆軸２２の先端部に同軸上に取着一体化すれば化粧用ブラシ２０Ａとなる。
【００３９】
特に、トサカ形状領域となるブリストル３５群が筆軸方向前方を向くため、芯線部３２の先端部側を折り返す際には、芯線部３２の捻りあわせの山部３２Ｂよりも、芯線部の捻りあわせの谷部３２Ａ（図２（ａ）、（ｃ）参照）で折り返すのが望ましい。
【００４０】
そして、ブラシ部３０を化粧料容器１０に挿入する際には、折り返し部３３の直径ｄが筆軸２２の軸部２４の直径Ｄよりも小さいので、軸部２４の直径Ｄに合わせて設計された可縮性ワイパー１６の掻き部１７の内周面を拡大することなく、スムーズにブラシ部３０（折り返し部３３）を化粧料容器１０に挿入することができ、筆軸２２の軸部２４およびブラシ部３０（ブリストル３４、３５群）にマスカラ液１２が付着する。
【００４１】
次に、化粧用ブラシ２０Ａを化粧料容器１０から抜き出す際には、ワイパー１６の掻き部１７の内周面は略同径のまま筆軸２２の軸部２４の外周面にほぼ連続して密着し、軸部２４に付着したマスカラ液１２が掻き落されるとともに、ブラシ部３０に付着したマスカラ液１２も適量に掻き落とされる。このとき、折り返し部３３の直径ｄが軸部２４の直径Ｄより小さいので、ワイパー１６の掻き部１７の内周面を過剰に拡張することなくブラシ部３０（折り返し部３３）をスムーズに抜き出すことができる。
【００４２】
また、ワイパー１６の掻き部１７の内径寸法は、筆軸２２の軸部２４の直径Dを最大径として十分に掻き落とし機能を発揮できる寸法にすればよいので、第一に、ワイパー１６の掻き部１７の内周面と軸部２４の外周面が周方向に隙間なく密着した形態で筆軸２２が抜き出され、筆軸２２の軸部２４に付着したマスカラ液１２が掻き残されることはなく、マスカラ液１２で軸部２４や筆軸２２を持つ手が汚れることもないし、ワイパー１６の掻き部１７のマスカラ液１２の掻き落し機能は従来と変わらない。第二に、化粧用ブラシ２０Ａのブラシ部３０の構成（先端部に櫛歯部となるブリストル３５群を設けたこと）に基づく化粧料容器１０の口部１４を広げる設計変更や、ワイパー１６の掻き部１７の内周寸法の変更は不要であり、既存のワイパー、化粧料容器をそのまま用いることができる。
【００４３】
また、化粧用ブラシ２０Ａを用いてマスカラ液１２を睫毛に塗布する際には、特許文献１のマスカラ用塗布具と同様に、筆軸２２を睫毛に沿って略平行に配置し、ブラシ部３０側面側のブリストル３４群を睫毛の下側に配置した後、筆軸２２を回転させつつ上方へ移動させるように操作すると、マスカラ液１２を睫毛に十分に塗布することができる。
【００４４】
一方、ブラシ部３０を睫毛を梳くための櫛歯として使用する際には、ブラシ部３０の先端部のブリストル３５群を使用する。即ち、筆軸２２を顔面に対して略垂直方向に構え、ブリストル３５群からなるトサカ形状領域の側面を睫毛の並び方向と並行にして、上睫毛と下睫毛の隙間にブリストル３５群を挿し込み、睫毛を押し上げるように筆軸２２を数回上下させるように操作すれば、睫毛に塗布された余分なマスカラ液１２を除去し、睫毛を梳き整えることができる。
【００４５】
また、折り返された芯線部３２Ｃの長さＬが短いので、マスカラ液１２を塗布する上で有効なブラシ部３０の側面領域の長さは、従来の化粧用ブラシのブラシ部３０Ａに略同じで、マスカラ液１２の塗布機能が劣ることもない。
【００４６】
また、ブリストル３５群は、睫毛を梳かすだけでなく、筆の刷毛のように用いて、目頭、目尻および下睫毛等の塗りにくいところへマスカラ液１２を塗布することができ、キメ細やかな調整に用いるのにも優れている。
【００４７】
特に、下睫毛に塗布する際には、下睫毛の上側を、ブリストル３５群の側面を使って一筆描きをするように塗れば、容易にマスカラ液１２を下睫毛に適量塗布することができる。
【００４８】
また、ブリストル３５群は、従来のブラシ部３０Ａの芯線部３２を折り返すだけで、ブラシ部３０の先端前方に延出形成することができる。即ち、櫛歯部として別途部材を設け、その後にブラシ部と一体化すると、それだけブラシ部の製造が複雑面倒となるが、ブラシ部３０は、芯線部３２と該芯線部から分散するブリストル３４群及び３５群だけで構成された、非常に簡便な構造であり、その製造が簡易であるので、その分化粧用ブラシ２０Ａとしての製造も容易となる。
【００４９】
次に、図４および図５は、本発明の第２の参考例に係る化粧用ブラシ２０Bを示し、図４（ａ）は本発明の第２参考例に係る化粧用ブラシの要部正面図、（ｂ）は同化粧用ブラシの要部であるブラシ部の先端部の右側面図で、図５は第２参考例に係る化粧用ブラシ２０Bのブリストルを芯線材に挟み込んだ図である。
【００５０】
図４及び図５に示すように、化粧用ブラシ２０Bのブラシ部３６は、ブラシ部３６の先端部側のブリストル３５群を形成するブリストル４４の長さを、少なくともブラシ部３６の基端部側全体（ブリストル３４群）を形成するブリストル４２の長さより長くして構成し、他の構成は第１の参考例と同様である。
【００５１】
ブラシ部３６を有する化粧用ブラシ２０Bは以下のように製造される。
【００５２】
図５に示したように、一対の金属線材４０、４０間に、基端部側にブリストル４２と、先端部側に（ブリストル４２よりも長い）ブリストル４４を配置し、両者４２、４４の中央部を挟み、図５矢印方向に一対の金属線材４０を捻り、折り返し部４１で第１参考例と同様に芯線部３２を折り返せば、ブラシ部３６が形成され、これを筆軸２２の先端部に同軸上に取着一体化すれば化粧用ブラシ２０Bは完成する。
【００５３】
即ち、ブリストル３５群を形成するブリストル４４の長さをある程度長くすることで、目尻等の上睫毛と下睫毛の隙間にブリストル３５群を挿し込みやすくなるので、櫛歯としての機能である睫毛を梳くという作用に優れ、睫毛に付着したマスカラ液１２を梳き整えることが容易となる。
【００５４】
また、前記の工程でブラシ部３６を製造すると、ブリストル４４は折り返された芯線部３２Ｃにも挟み込まれるため、ブラシ部３６側面側のブリストル３４群の先端側の一部が（ブリストル放射方向に）長くなるが（ブリストル３４ａ）、図４（ａ）の仮想線で示すように周知の技術であるトリミング加工をして所望の長さに揃えればよい。
【００５５】
次に、図６および図７は、本発明の実施例に係る化粧用ブラシ２０Cを示し、図６（ａ）は本発明の実施例に係る化粧用ブラシの要部正面図、（ｂ）は同化粧用ブラシの要部であるブラシ部の先端部の右側面図で、図７は本発明の実施例に係る化粧用ブラシ２０Cのブリストルを芯線材に挟み込んだ図である。
【００５６】
図６に示すように、化粧用ブラシ２０Cのブラシ部３７は、ブラシ部３７の先端部側のトサカ形状領域（ブリストル３５群）領域と基端部側（ブリストル３４群）領域の間に、ブリストル非形成領域３９が設けられたものであり、他の構成は第２の参考例と同様である。
【００５７】
ブラシ部３７を有する化粧用ブラシ２０Cは以下のように製造される。
【００５８】
図７に示したように、一対の金属線材４０、４０間に、先端側に配置するブリストル４４の植設域を折り返された芯線部３２Ｃの長さＬ分だけ減らすとともに、ブリストル３５群形成領域の部分とブリストル３４群形成領域の部分との間に、折り返された芯線部３２Ｃの長さＬ相当の隙間を空けてブリストル４２を配置して、その中央部を挟み、図７矢印方向に一対の金属線材４０を捻り、折り返し部４１で第１参考例と同様に芯線部３２を折り返せばブラシ部３７が形成され、これを筆軸２２の先端部に同軸上に取着一体化すれば化粧用ブラシ２０Cは完成する。
【００５９】
化粧用ブラシ２０Cを用いてブラシ部３７の先端部のブリストル３５群を用いる際には、前記したように筆軸２２を構え、上睫毛と下睫毛の隙間にブリストル３５群を挿し込み、睫毛を押し上げるように操作（筆軸２２を上下する）と、ブリストル非形成領域３９にブリストルが無いため睫毛周辺の皮膚にブリストルが当たらず、誤って周辺皮膚にマスカラ液１２を塗布してしまうことがないので、睫毛を梳く際や睫毛等の仕上げを行う際の化粧用ブラシ２０Cの使い勝手が向上する。
【００６０】
また、ブリストル非形成領域３９は、ブリストルを芯線部に挟み込まないで形成するほか、ブリストル非形成領域３９にもブリストル４２、４４を植設した後でトリミング加工によってブリストルを短くしてもよい。
【００６１】
また、前記した参考例１、２および実施例において、ブリストル４２、４４には、睫毛にマスカラ液１２を塗布するための十分な硬さを有していれば、大抵の天然繊維や合成繊維が使用でき、ブリストル４２、４４の形状は、円形や、三角形やひし形等の多角形、手裏剣型等の非円形、又は中空の断面となっていても良い。
【００６２】
特に、ブリストル３５群の櫛歯としての機能を向上させるためには、少なくともブリストル３５群を形成するブリストル４２、４４には剛性の高い繊維を用いるのが好ましい。例えば、第２の参考例において、ブリストル４４、４２の素材を変えて、ブリストル４４にブリストル４２よりも硬い繊維を用いたり、同一素材であっても、ブリストル４２は中空にして空隙を設けないブリストル４４よりも柔らかくしたものを用いるとよい。
【産業上の利用可能性】
【００６３】
なお、前記参考例および実施例では本発明をマスカラ塗布用の化粧用ブラシとして説明したが、マスカラ液その他の液体化粧料用の化粧用ブラシにも同様に適用できる。
【符号の説明】
【００６４】
１０  化粧用容器
１２  液体化粧料であるマスカラ液
１４  筆軸挿入用の口部
１６  ワイパー
１７  ワイパーの掻き部
２０Ａ  第１参考例に係る化粧用ブラシ
２０Ｂ  第２参考例に係る化粧用ブラシ
２０Ｃ  実施例に係る化粧用ブラシ
２２  筆軸
２３  キャップ
２４  筆軸の軸部
３０  第１参考例に係るブラシ部
３０Ａ  従来のブラシ部
３２  芯線部
３２Ａ  芯線部の捻りあわせ谷部
３２Ｂ  芯線部の捻りあわせ山部
３２Ｃ  折り返された芯線部
３３  芯線部の折り返し部
３４  ブラシ部の側面側に形成されるブリストル群
３５  ブラシ部先端部に形成されるトサカ形状のブリストル群
３６  第２参考例に係るブラシ部
３７  実施例に係るブラシ部
３９  ブリストル非形成領域
４０  一対の金属線材
４１  折り返し点
４２  ブラシ部の側面側に植設されるブリストル
４４  ブラシ部先端側に植設されるブリストル
【図１】
0005507676.tif 000002
【図２】
0005507676.tif 000003
【図３】
0005507676.tif 000004
【図４】
0005507676.tif 000005
【図５】
0005507676.tif 000006
【図６】
0005507676.tif 000007
【図７】
0005507676.tif 000008